【事件の表示】
　特願２００４−３７１６６０「ジメタクリル酸亜鉛を使用する高反撥係数を持つゴルフボール」拒絶査定不服審判事件〔平成１７年　７月　７日出願公開、特開２００５−１７７５１１〕について、次のとおり審決する。
【結　論】
　本件審判の請求は、成り立たない。
【理　由】
第１　手続の経緯 
　本願は、平成１６年１２月２２日の出願（パリ条約による優先権主張　２００３年１２月２２日　米国）であって、平成１９年９月１９日及び平成２０年６月１７日に手続補正がなされ、平成２０年６月１７日付け手続補正は平成２０年８月２１日付けで却下されるとともに、同日付けで拒絶査定され、これに対して、同年１２月１日に拒絶査定不服の審判が請求されるとともに、平成２１年１月５日に手続補正がなされたものである。 
　
第２　平成２１年１月５日付け手続補正についての補正却下の決定
〔補正却下の決定の結論〕 
　平成２１年１月５日付け手続補正を却下する。
　
〔理由〕
　１　本件補正の内容・目的
（１）補正の内容
　ア　平成２１年１月５日付け手続補正（以下「本件補正」という。）は、特許請求の範囲についてするもので、特許請求の範囲の請求項１については、本件補正前に、
　
「コア及びカバーを含むゴルフボールであって、前記コアが弾性ポリマー成分、遊離基源、ジメタクリル酸亜鉛及び、次の一般式Ｉ：
　　【化１】
（式中、Ｒ1〜Ｒ5は、置換又は非置換のＣ1〜Ｃ8のアルキル基、ハロゲン基、チオール基（−ＳＨ）、カルボキシレート化基、スルホネート化基及び水素から成る群から任意の順序で選ばれる）を有する少なくとも一種のハロゲン化有機硫黄化合物を含む組成物で形成され、前記コアが９０以上のアッティ圧縮を有する事を特徴とするゴルフボール。」
とあったものを、
　
「コア及びカバーを含むゴルフボールであって、前記コアが弾性ポリマー成分、遊離基源、
前記弾性ポリマー成分の５pph〜５０pphの量で存在する
、ジメタクリル酸亜鉛以外の不飽和酸モノマーの金属塩及びモノカルボン酸の金属塩から成る群から選ばれる、前記弾性ポリマー成分の２０pph〜４０pphの量で存在する追加の架橋剤
　　【化１】
（式中、Ｒ1〜Ｒ5は、置換又は非置換のＣ1〜Ｃ8のアルキル基、ハロゲン基、チオール基（−ＳＨ）、カルボキシレート化基、スルホネート化基及び水素から成る群から任意の順序で選ばれる）を有する少なくとも一種のハロゲン化有機硫黄化合物を含む組成物で形成され、前記コアが９０以上のアッティ圧縮を有する事を特徴とするゴルフボール。」
に補正するものである。（下線は審決で付した。以下同じ。） 
 　 
　イ　上記アの請求項１に係る本件補正は、以下の補正内容からなる。
　本件補正前の請求項１に係る発明を特定するために必要な事項である「コア」を、「ジメタクリル酸亜鉛」の含有量が「弾性ポリマー成分の５pph〜５０pph」であり、かつ、「ジメタクリル酸亜鉛以外の不飽和酸モノマーの金属塩及びモノカルボン酸の金属塩から成る群から選ばれる、前記弾性ポリマー成分の２０pph〜４０pphの量で存在する追加の架橋剤」を含むものに限定する。
　
（２）補正の目的
　上記（１）イの補正内容は、本件補正前の請求項１に係る発明を特定するために必要な事項を限定して、本件補正後の請求項１とするものであるから、請求項１に係る本件補正は、平成１８年法律第５５号改正附則第３条第１項によりなお従前の例によるとされる同法による改正前の特許法（以下「旧特許法」という。）第１７条の２第４項第２号に掲げる特許請求の範囲の減縮を目的とするものである。
　そこで、本件補正後の請求項１に係る発明（以下「本願補正発明」という。）が特許出願の際独立して特許を受けることができるものであるか（旧特許法第１７条の２第５項において準用する同法第１２６条第５項の規定に適合するか）について以下検討する。
　
　２　独立特許要件について
（１）特許法第３６条第６項第１号（サポート要件）
　本願補正発明は、多数の数値限定でゴルフボールを特定しようとするものである。
　そこで、本願の特許請求の範囲の請求項１の「コア及びカバーを含むゴルフボールであって、前記コアが弾性ポリマー成分、遊離基源、前記弾性ポリマー成分の５pph〜５０pphの量で存在するジメタクリル酸亜鉛、ジメタクリル酸亜鉛以外の不飽和酸モノマーの金属塩及びモノカルボン酸の金属塩から成る群から選ばれる、前記弾性ポリマー成分の２０pph〜４０pphの量で存在する追加の架橋剤及び、次の一般式Ｉ：
　　【化１】
（式中、Ｒ1〜Ｒ5は、置換又は非置換のＣ1〜Ｃ8のアルキル基、ハロゲン基、チオール基（−ＳＨ）、カルボキシレート化基、スルホネート化基及び水素から成る群から任意の順序で選ばれる）を有する少なくとも一種のハロゲン化有機硫黄化合物を含む組成物で形成され、前記コアが９０以上のアッティ圧縮を有する」（以下「本願補正発明特定事項」という。）に係る多数の数値限定に関する記載について、以下検討する。
　ア　本願明細書に開示された発明の課題と、本願の特許請求の範囲の請求項１の上記記載との技術的関係
（ア）　本願明細書の発明の詳細な説明の段落【０００２】及び【０００３】には、発明の課題に関する記載があり、該記載によれば、従来のゴルフボールに対して、ジメタクリル酸亜鉛を使用して、改善された反撥係数（「ＣｏＲ」）並びに増加した圧縮を持つゴルフボールを提供するという目的に対し、本願の特許請求の範囲の請求項１ないし２２に記載された構成を採用することにより、上記目的を達成することができたとされることが開示されていると認められる。
　
（イ）　本願明細書の発明の詳細な説明には、本願補正発明特定事項に関する数値限定に関連して、以下ａ〜ｃに示す記載がある。
　ａ　「【０００９】
　本発明は、ワンピースゴルフボール、ツーピースゴルフボール又は中心、中心に隣接して同心円状に配置される少なくとも一つの中間層及びカバーを有する多層ゴルフボールに関するものである。又、本発明は、二重コア、多層コア、二重カバー、多層カバー又は二つ以上の中間層を有するゴルフボールに関するものである。ゴルフボールの少なくとも一部、即ち、中心、カバー又は中間層の一つは、ジメタクリル酸亜鉛（ＺＤＭＡ）と、次の一般式Ｉ：
【化３】
（式中、Ｒ1〜Ｒ5は、置換又は非置換のＣ1〜Ｃ8のアルキル基、ハロゲン基、チオール基（−ＳＨ）、カルボキシレート化基、スルホネート化基及び水素から成る群から任意の順序で選ばれる）を有する少なくとも一種のハロゲン化有機硫黄化合物を含む。
　更に詳しく言えば、ゴルフボールの少なくとも一部は、弾性ポリマー成分、ＺＤＭＡ、式Ｉの少なくとも一種のハロゲン化有機硫黄化合物及び任意に遊離基源を含む組成物を含む。如何なる理論にも拘束される積りはないが、ＺＤＭＡは、特に架橋剤として機能し、式Ｉの少なくとも一種のハロゲン化有機硫黄化合物は、特に加硫促進剤として機能する。
　一般的に、ジアクリル酸亜鉛（ＺＤＡ）組成物へのＺｎＰＣＴＰの添加は、ＺｎＰＣＴＰ無しのＺＤＡと比較した場合、ＴＣ９０を増加し、ゴルフボールの圧縮を低くし、そして、３８．１ｍ（１２５フィート）／秒での反撥係数（以下に定義される様な「ＣｏＲ」）を適度に増加させる。本発明では、ＺＤＭＡ組成物への式Iのハロゲン化有機硫黄化合物の少なくとも一種の添加が、ゴルフボールの圧縮を驚く程に増加させ、ＴＣ９０を低下させ、且つ３８．１ｍ（１２５フィート）／秒でのＣｏＲを著しく増加させる。又、本発明の組成物は、３８．１ｍ（１２５フィート）／秒で相当なＣｏＲを有するゴルフボールを与える。
　【００１０】
　一実施態様では、ＺＤＭＡは、ベースポリマーの約１０ｐｐｈを超える量で、好ましくは約０．０１ｐｐｈ〜約１００ｐｐｈ、更に好ましくは約１ｐｐｈ〜約６０ｐｐｈの量で存在する。ここで使用される「１００当りの部」又は”ｐｐｈ”として知られている用語は、弾性ポリマー成分とその他のポリマー成分とを含む全ポリマー成分の１００質量部当りの、混合物で存在する特定の成分の質量部の数と定義される。数学的に、これは、ポリマーの全質量で割った成分の質量に１００の因子を掛けて表す事ができる。その他の実施態様では、ＺＤＭＡは、ベースポリマーの約５ｐｐｈ〜約５０ｐｐｈ、好ましくはベースポリマーの約１０ｐｐｈ〜約３５ｐｐｈ、更に好ましくは、ベースポリマーの約１５〜２５ｐｐｈで存在する。
　一般式Iを有する好ましいハロゲン化有機硫黄化合物としては、ペンタフルオロチオフェノール、２−フルオロチオフェノール、３−フルオロチオフェノール、４−フルオロチオフェノール、２，３−フルオロチオフェノール、２，４−フルオロチオフェノール、３，４−フルオロチオフェノール、３，５−フルオロチオフェノール、２，３，４−フルオロチオフェノール、３，４，５−フルオロチオフェノール、２，３，４，５−テトラフルオロチオフェノール、２，３，５，６−テトラフルオロチオフェノール、４−クロロテトラフルオロチオフェノール、ペンタクロロチオフェノール、２−クロロチオフェノール、３−クロロチオフェノール、４−クロロチオフェノール、２，３−クロロチオフェノール、２，４−クロロチオフェノール、３，４−クロロチオフェノール、３，５−クロロチオフェノール、２，３，４−クロロチオフェノール、３，４，５−クロロチオフェノール、２，３，４，５−テトラクロロチオフェノール、２，３，５，６−テトラクロロチオフェノール、ペンタブロモチオフェノール、２−ブロモチオフェノール、３−ブロモチオフェノール、４−ブロモチオフェノール、２，３−ブロモチオフェノール、２，４−ブロモチオフェノール、３，４−ブロモチオフェノール、３，５−ブロモチオフェノール、２，３，４−ブロモチオフェノール、３，４，５−ブロモチオフェノール、２，３，４，５−テトラブロモチオフェノール、２，３，５，６−テトラブロモチオフェノール、ペンタヨードチオフェノール、２−ヨードチオフェノール、３−ヨードチオフェノール、４−ヨードチオフェノール、２，３−ヨードチオフェノール、２，４−ヨードチオフェノール、３，４−ヨードチオフェノール、３，５−ヨードチオフェノール、２，３，４−ヨードチオフェノール、３，４，５−ヨードチオフェノール、２，３，４，５−テトラヨードチオフェノール、２，３，５，６−テトラヨードチオフェノール及び、これらとＺｎ、Ｃｄ、Ｓｎ、Ｍｇ及びＭｎとの塩が挙げられる。
　【００１１】
　好ましくは、ハロゲン化有機硫黄化合物は、ペンタクロロチオフェノール（ＰＣＴＰ）であり、これはニート形態で市販されているし、或いは、４５％で装填された硫黄化合物のペンタクロロチオフェノール（２．４部のPCTPに相当する）を含む粘土ベースの担体で、商品名が「ＳＴＲＵＫＴＯＬ」として市販されている。「ＳＴＲＵＫＴＯＬ」は、Structol Company of America of Stow, OHから市販されている。ＰＣＴＰは、ニート形態及びその塩形態で、eChinachem of San Francisco, CAから市販されている。更に好ましくはハロゲン化有機硫黄化合物は、ペンタクロロチオフェノールの亜鉛塩であり、これは、eChinachem of San Francisco, CAから市販されている。
　ここで使用される「置換又は非置換Ｃ1〜Ｃ8アルキル」と言う用語は、１〜８個の炭素原子を有する任意の置換又は非置換非環式炭素含有基を意味する。置換又は非置換Ｃ1〜Ｃ8アルキル基の例としては、例えば、イソ−プロピル、ｎ−ブチル、イソ−ブチル、sec−ブチル、ｔ−ブチル、イソ−ペンチル、neo−ペンチル、ヘキシル、ヘプチル、オクチル等を含む、メチル、エチル、プロピル、ブチル、ペンチル、ヘキシル及びそれらの異性体が挙げられる。当業者は、本発明の範囲内にある直鎖及び分岐アルキル基の様々な配列には精通している。
　ここで使用される「置換」と言う用語は、又、一つ以上の水素原子が官能基（例えば、一個以上の官能基を有する置換アルキル基）で置き換えられている様々な置換基又は上記で定義された様なアルキル基を含む基を意味する。官能基としては、ヒドロキシル、アミノ（例えば、Ｒ1Ｒ2Ｎ（ここで、Ｒ1とＲ2はそれぞれ独立的に、水素、アルキル、アリール又はシクロアルキルである））、アルコキシ、カルボニル（例えば、エステル、酸及びそれらの金属誘導体）、スルホキシジル、スルホニル、スルホノイル、アミド、ホスフェート、チオール、シアノ、ニトロ、シリル及びハロゲン（例えば、フッ素、塩素、臭素又はヨウ素）が挙げられるがこれらに限定されない。
　【００１２】
　一実施態様では、式Iのハロゲン化有機硫黄化合物は、約０．０１ｐｐｈ〜約５０ｐｐｈ、好ましくは約０．１ｐｐｈ〜約２０ｐｐｈの量で存在する。その他の実施態様では、式Ｉのハロゲン化有機硫黄化合物は、約１ｐｐｈ〜約５ｐｐｈ、好ましくは約２ｐｐｈ〜約３ｐｐｈの量で存在する。ここに開示された範囲の上限と下限は新たな範囲を形成する為に置き換え可能である。例えば、式Ｉのハロゲン化有機硫黄化合物の量は、約０．１〜約５ｐｐｈ、約１ｐｐｈ〜約３ｐｐｈ、及び５ｐｐｈ〜約２０ｐｐｈであっても良い。
　本発明の組成物は、如何なるタイプのボール構造で使用されても良い。例えば、ボールはワンピース、ツーピース又はスリーピースの設計、多層コア、多層カバー、一つ以上の中間層を有しても良い。ここで使用される「多層」と言う用語は、少なくとも２つの層、即ち、少なくとも２つの構造層を意味する。例えば、本発明の組成物は、ゴルフボールのコア、中間層、及び／又はカバーで使用されても良く、それぞれは単一層又は複数層を有しても良い。この様に、本発明は、ＺＤＭＡと式Ｉの少なくとも一種のハロゲン化有機硫黄化合物を含む組成物から作られる少なくとも一つの層を有しても良い。ここで使用される「層」と言う用語は、ゴルフボールの一般的に球状の部分、即ち、ゴルフボールコア又は中心、中間層及び／又はゴルフボールカバーを含む。
　この様に、一実施態様では、ゴルフボールコアは、ＺＤＭＡと式Ｉの一種以上のハロゲン化有機硫黄化合物を含む。その他の実施態様では、コアが一より多い層を有するゴルフボールは、コア層の少なくとも一つの層においてＺＤＭＡと式Ｉの少なくとも一種のハロゲン化有機硫黄化合物を含む。」
　
　ｂ　「【００１８】
　架橋剤は、弾性ポリマー成分中のポリマーの鎖の部分を架橋するのに十分な量で存在しなければならない。例えば、所望の圧縮は、架橋剤の量を調整する事によって得られても良い。これは、例えば、架橋剤のタイプおよび量を変える事、即ち、当業者には公知の方法によって達成されても良い。架橋剤の使用がゴルフボールの圧縮を増加させる事は公知である。
　追加の架橋剤は、弾性ポリマー成分の約０．１％を超える量で、好ましくは、弾性ポリマー成分の約５〜４０％、更に好ましくは弾性ポリマー成分の約１０〜２５％の量で存在しても良い。
　一実施態様では、追加の架橋剤は、ベースポリマーの約１０ｐｐｈを超える量で、好ましくはベースポリマーの約２０ｐｐｈ〜約４０ｐｐｈ、更に好ましくはベースポリマーの約２５ｐｐｈ〜約３５ｐｐｈの量で存在する。追加の架橋剤は純粋な形態で、即ち、１００％の活性形態で、又は当業者に公知の適当な担体中に分散された形態である事ができる。…（略）…」  
　
　ｃ　「【００５３】
　…（略）…
　又、ゴルフボールは、一般的に、少なくとも約４０、好ましくは約５０〜１２０、更に好ましくは約６０〜１００のアッティ圧縮（過去においてはＰＧＡ圧縮と言われていた）を有する。好ましくは、ゴルフボールは、８０以上、更に好ましくは９０以上、最も好ましくは９５以上のアッティ圧縮を有する。ここで使用される「アッティ圧縮」と言う用語は、アッティ圧縮ゲージ（ニュージャージー州、ユニオン市のアッティエンジニヤリング社から市販されている）で測定した時の、較正されたバネの歪みに比例する対象物又は材料の歪みとして定義される。アッティ圧縮は、一般的に、ゴルフボール及び／又はゴルフボールコアの圧縮を測定するのに使用される。圧縮値は測定される製品の直径に依存する。本発明のゴルフボールポリブタジエン材料は、一般的に、３．４４ＭＰａ〜２０６８．４ＭＰａ（約５００ｐｓｉ〜３００，０００ｐｓｉ）、好ましくは、１３．７ＭＰａ〜１３７８．９ＭＰａ（約２０００〜約２００，０００ｐｓｉ）の曲げ弾性率を有する。ゴルフボールポリブタジエン材料は、一般的に、少なくとも約１５ショアＡ、好ましくは約３０ショアＡ〜８０ショアＤ、更に好ましくは約５０ショアＡ〜６０ショアＤの硬度を有する。ゴルフボールポリブタジエン材料の比重は、一般的に、約０．７を超え、好ましくは約１を超える。約２３℃での動的剪断貯蔵弾性率、又は貯蔵弾性率は、一般的に、少なくとも約１０，０００ｄｙｎ／ｃｍ2、好ましくは約１０4〜１０10ｄｙｎ／ｃｍ2、更に好ましくは約１０6〜１０10ｄｙｎ／ｃｍ2である。
　【００５４】
　圧縮値は、測定される成分の直径に依存する。本発明により調製されたゴルフボールのコア、或いはコアの部分のアッティ圧縮は、好ましくは、約８０未満、更に好ましくは約７５未満である。その他の実施態様では、コアの圧縮は約４０〜約８０、好ましくは約５０〜約７０である。尚その他の実施態様では、コアの圧縮は、好ましくは約５０以下、更に好ましくは約２５以下である。尚その他の実施態様では、コアの圧縮は、ゼロ又はマイナスの圧縮（即ち、ゼロ以下）である。
　別の低圧縮の実施態様では、コアは、約２０未満、更に好ましくは約１０未満、最も好ましくは０の圧縮を有する。然しながら、当業者には公知の通り、本発明により作られるコアは、アッティ圧縮ゲージの測定以下であっても良い。
コアが硬い実施態様では、圧縮は約９０以上であっても良い。一実施態様では、硬いコアの圧縮は、約９０〜約１００の範囲である
　
（ウ）　上記（イ）から、本願補正発明特定事項に関する数値限定と本願明細書に開示された発明の課題との因果関係、又は前記数値限定の特定が前記課題を解決するメカニズムを、当業者といえども把握できるものでない。
　
（エ）　上記（ア）ないし（ウ）にて検討したとおり、本願補正発明特定事項に関する数値限定と、本願明細書に開示された発明の課題との間に、明確な技術的関係があるとは、当業者といえども理解することができない。
　
　イ　小括
　上記のとおり、本願明細書の発明の詳細な説明には、本願補正発明特定事項に関する数値限定と、本願の特許請求の範囲の請求項１に記載された発明の課題との因果関係、又は前記数値限定の特定が前記課題を解決するメカニズムについて記載も示唆もされていない。
　
　ウ　本願明細書における具体例の開示からの検討  
（ア）　本願明細書の発明の詳細な説明に記載の具体例について、本願明細書の発明の詳細な説明の段落【００５７】〜【００６０】には、実施例１（ＺｎＰＣＴＰとＺＤＭＡを含むゴルフボールコア）としての「表１−ＺｎＰＣＴＰとＺＤＭＡを有するコア組成」に係る１ないし７（以下「実施例１−１」ないし「実施例１−７」という。）及びＺＤＭＡの代りにＺＤＡを含む比較のコア組成としての「表２−ＺＤＡを有する比較のコア組成」に係る８ないし１１（以下「比較例１−８」ないし「比較例１−１１」という。）に関する以下の記載がある。
　　「【実施例】
　【００５８】
実施例１　ＺｎＰＣＴＰとＺＤＭＡを含むゴルフボールコア
　当該技術分野において周知の方法を使用して、ＺＤＭＡとＺｎＰＣＴＰを含む組成物でゴルフボールコアを形成した。特に、このゴルフボールコアは、ＢＵＮＡ　ＣＢ−２３ポリブタジエン（Bayer of Akron,OH）、酸化亜鉛、ＡＫＴＩＰＬＡＳＴ　ＰＰ（Rhein Chemie Rheinau GmbH of Germany）、ＰＥＲＫＡＤＯＸ　ＢＣ（Akzo Noble Polymer Chemicals of Chicaga, IL）、ＳＲ−３６５ＺＤＭＡ（　　　　　　Sartomer Company, Inc. of Exton, PA）及びＺｎＰＣＴＰ（eChinachem of San Francisco, CA）を含む。以下の表は、本発明により作られたコア組成物及びそれに相当するコア圧縮及び３８．１ｍ（１２５フィート）／秒（ｆｐｓ）でのＣｏＲを示す。表中に列挙された全ての量はｐｐｈでの量である。
　【００５９】
　更に、以下の表は、ＺＤＭＡの代りにＺＤＡを含む比較のコア組成を示す。特に、このゴルフボールは、ＢＵＮＡ　ＣＢ−２３ポリブタジエン（Bayer of Akron,OH）、酸化亜鉛、ＡＫＴＩＰＬＡＳＴ　ＰＰ（Rhein Chemie Rheinau GmbH of Germany）、ＰＥＲＫＡＤＯＸ　ＢＣ（Akzo Noble Polymer Chemicals of Chicago, IL）、ＳＲ−７０５ＺＤＡ（Sartomer Company, Inc. of Exton, PA）及びＺｎＰＣＴＰ（eChinachem of San Francisco, CA）を含む。
　【００６０】
　ＺｎＰＣＴＰの添加は、ＺＤＡ含有組成物と比較した時に、ＺＤＭＡ含有組成物において予期せぬ効果を与えた。表２の組成８と９は、ＺＤＡ量の増加がコア圧縮に顕著な増加をもたらすが、ＺｎＰＣＴＰの添加は（組成９と１０を比較して）、ＣｏＲ（＠１２５ｆｐｓ）の僅かな増加とＴＣ９０時間での大きな増加を示してコア圧縮を低下させる事を示す。表１の組成１〜４は、ＺＤＭＡ量の増加がコア圧縮の顕著な増加をもたらすが、ＺｎＰＣＴＰの添加は、ＣｏＲ（＠１２５ｆｐｓ）の大きな増加とＴＣ９０時間での小さな減少（組成５〜８）を示してコア圧縮を予想外に増加させる事を示す。更に、ＺＤＭＡとＺｎＰＣＴＰの組合せは、ゴルフボールコアにとって適当なＣｏＲ値を与える。
　ここに開示され且つクレームされた本発明は、ここに開示された特定の実施態様によってその範囲が限定されるものではなく、これらの実施態様は本発明の幾つかの観点の例示に過ぎない。任意の均等の実施態様は本発明の範囲内にあるべきものである。事実、ここに示され且つ記述されたものに加えて本発明の様々な変更は、先の記述から当業者には明らかとなるであろう。例えば、本発明の組成物は、様々なゴルフ用具、例えば、ゴルフシューズの靴底用途及びゴルフパターのインサートで使用されても良い。その様な変更は又、添付の特許請求の範囲内に入るものである。」
　
（イ）　そこで、実施例１−１ないし１−７及び比較例１−８ないし１−１１について以下に検討する。  
　平成２１年１月５日付け手続補正により、特許請求の範囲の請求項１の記載は変更された（上記１（１）ア参照。）ものの、実施例１−１ないし１−７及び比較例１−８ないし比較例１−１１に関する記載については何ら変更されていない。
　そして、比較例１−８ないし比較例１−１１は、特許請求の範囲の請求項１記載の「ジメタクリル酸亜鉛」（ＺＤＭＡ）を含まない例であるから、本願補正発明の実施例とはいえない。
　次に、実施例１−１ないし１−７について以下検討する。
　本願明細書の【００５８】の表１に示されたＺｎＰＣＴＰとＺＤＭＡを有するコア組成のうち、「ＢＵＮＡ　ＣＢ−２３ポリブタジエン（Bayer of Akron,OH）」、「ＰＥＲＫＡＤＯＸ　ＢＣ（Akzo Noble Polymer Chemicals of Chicaga, IL）」、「ＳＲ−３６５ＺＤＭＡ（Sartomer Company, Inc. of Exton, PA）」及び「ＺｎＰＣＴＰ（eChinachem of San Francisco, CA）」は、それぞれ、特許請求の範囲の請求項１に記載の「弾性ポリマー成分」、「遊離基源」、「ジメタクリル酸亜鉛」及び「一般式Ｉ：【化１】（略）」に相当するものであることは、本願明細書の記載から明らかであるが、「ＡＫＴＩＰＬＡＳＴ　ＰＰ（Rhein Chemie Rheinau GmbH of Germany）（以下、単に「ＡＫＴＩＰＬＡＳＴ　ＰＰ」という。）は、本願明細書の記載を参酌しても、本願の特許請求の範囲の請求項１に記載の「組成物」に係るいずれの成分に相当するものであるのか明らかでない。
　仮に、「ＡＫＴＩＰＬＡＳＴ　ＰＰ」を、特許請求の範囲の請求項１に記載の「『ジメタクリル酸亜鉛以外の不飽和酸モノマーの金属塩及びモノカルボン酸の金属塩から成る群から選ばれ』る『追加の架橋剤』」に相当するものと善解したとしても、実施例１−１ないし１−７はいずれも、「ＡＫＴＩＰＬＡＳＴ　ＰＰ」を「ＢＵＮＡ　ＣＢ−２３ポリブタジエン（Bayer of Akron,OH）」（弾性ポリマー成分）に対して５．０pph含有するものであって、特許請求の範囲の請求項１に記載の「前記弾性ポリマー成分の２０pph〜４０pphの量で存在する追加の架橋剤」との要件を充足しないものであるから、本願補正発明の実施例とはいえない。
　また、上記表１には、単に「圧縮」との記載はあるものの、「アッティ圧縮」との記載はなく、仮に「圧縮」を「アッティ圧縮」と善解したとしても、実施例１−１ないし１−７はいずれも、「圧縮」の値がそれぞれ「−」、「２」、「２３」、「４６」、「３１」、「５４」、「８７」であるものであって、特許請求の範囲の請求項１に記載の「９０以上のアッティ圧縮」との要件を充足しないものであるから、本願補正発明の実施例とはいえない。
　してみれば、本願明細書の発明の詳細な説明には、本願補正発明の「ジメタクリル酸亜鉛以外の不飽和酸モノマーの金属塩及びモノカルボン酸の金属塩から成る群から選ばれる、前記弾性ポリマー成分の２０pph〜４０pphの量で存在する追加の架橋剤」及び「前記コアが９０以上のアッティ圧縮を有する」との事項を含む本願補正発明の具体例が、
一例も記載されていない
　
（ウ）　したがって、上記（ア）及び（イ）にて検討したとおり、本願明細書の発明の詳細な説明は、本願の特許請求の範囲の請求項１に記載された「ジメタクリル酸亜鉛以外の不飽和酸モノマーの金属塩及びモノカルボン酸の金属塩から成る群から選ばれる、前記弾性ポリマー成分の２０pph〜４０pphの量で存在する追加の架橋剤」及び「前記コアが９０以上のアッティ圧縮を有する」との数値限定に関し、具体例を開示していないという点からみて、本願の特許請求の範囲の請求項１の記載は、特許法第３６条第６項第１号に規定する要件（サポート要件）に適合するものであるとは認められない。
　
　エ　まとめ 
　上記アないしウにて検討したとおりであるから、本願補正発明は、本願明細書の発明の詳細な説明に記載したものでなく、本願は、特許法第３６条第６項に規定する要件を満たしていない。
　よって、本願補正発明は、特許出願の際独立して特許を受けることができないものである。
　
（２）進歩性
　ア　刊行物の記載事項
　原査定の拒絶の理由に引用された、本願の優先日前に頒布された刊行物である特開２００３−１１１８７２号公報（以下「引用例」という。）には、次の事項が記載されている。
　
（ア）　「【００１１】本発明の
ゴルフボールは
コアとコアを取り巻くカバーを含む
コアの最も内部の部分は中実
【００１２】
中実コアの材料は、ベースゴム、架橋剤、フィラー、ハロゲン化した有機硫黄化合物、及び
開始剤を有する組成物を含む
【００１３】
架橋剤は
不飽和脂肪酸、例えばアクリル酸又はメタクリル酸の金属塩、例えば亜鉛又はマグネシウム塩
金属塩ジアクリレート、ジメタクリレート、及びモノメタクリレートであって金属が
亜鉛
である
アクリレートは亜鉛アクリレート、亜鉛ジアクリレート、亜鉛メタクリレート、亜鉛ジメタクリレート、及びこれらの混合物を含む。架橋剤は
ベースポリマー１００部当たり
約２０〜４０pph
の量で存在する
開始剤は硬化サイクル中で分解する
重合開始剤
【００１４】ペルオキシドは種々の形態で利用可能であり種々の活性を有することは周知である。活性は典型的には“活性酸素含量”によって規定される。例えばPERKODOX（登録商標）BCペルオキシドは９８％活性であり、かつ５．８０％の活性酸素含量を有し、これに対してPERKODOX（登録商標）DCP-70は７０％活性で、かつ４．１８％の活性酸素含量を有する。ペルオキシドが純粋な形態で存在する場合、それは少なくとも約０．２５pph存在するのが好ましく、より好ましくは約０．３５pph〜約２．５pph、さらに好ましくは約０．５pph〜約２pph存在する。ペルオキシドを濃縮した形態で使用することも可能であり、これらの活性が異なることは上記したように周知である。この場合、本発明で濃縮したペルオキシドを使用すると、純粋なペルオキシドに対する適切な濃度は、活性で割ることによって濃縮ペルオキシドが容易に調整される。例えば、２pphの純粋ペルオキシドは活性が５０％の４pphの濃縮ペルオキシドと等価である（すなわち２÷０．５＝４）。
【００１５】本発明の
ハロゲン化した有機硫黄化合物は以下の一般式を有するものを含む
式中、Ｒ
1
〜Ｒ
5
はいずれの順番であってもよいＣ
1
〜Ｃ
8
アルキル基；ハロゲン基；チオール基（−ＳＨ）、カルボキシル基；スルホネート基；及び水素
【００１６】フィラーは典型的には、タングステン、酸化亜鉛、硫酸バリウム、シリカ、炭酸カルシウム、炭酸亜鉛、金属、金属酸化物及び塩、リグリンド（リサイクルしたコア材料であって典型的には約３０メッシュの粒子に粉砕したもの）、高ムーニー粘度ゴムリグリンド、及び類似物。ゴルフボールの１部又は多数部に添加するフィラーは典型的には、レオロジー特性及び混合特性に影響を与えるように処置することを目的とし又はそのための化合物を含み、密度調整用フィラー、引き裂き強度又は強化用フィラー等を含む。フィラーは一般に無機物であり、適切なフィラーは多数の金属又は金属酸化物を含み、例えば酸化亜鉛及び酸化スズ、及び硫酸バリウム、硫酸亜鉛、炭酸カルシウム、炭酸バリウム、クレイ、タングステン、炭化タングステン、シリカのアレイ、及びこれらの混合物を含む。フィラーは種々の発泡剤又はブローイング剤を含むこともでき、当業者はこれらを直ちに選択することができる。フィラーはポリマー、セラミック、金属及びガラスの中実又は中空の、充填した又は充填していない微小粒子を含むこともできる。フィラーは典型的にはゴルフボールの１部又は複数部まで添加されてその密度を調整し、均一なゴルフボール標準に適合させる。フィラーを使用してセンター又は特別なボールのための少なくとも一つの追加的な層の質量を調整することもでき、例えば質量が小さいボールはスイング速度が小さい競技者に好ましいものである。」
　
（イ）　「【００４６】本発明の
コアは約８０より小さい
アッティ圧縮を有する
　
（ウ）　上記（ア）及び（イ）からみて、引用例には、次の発明（以下「引用発明」という。）が記載されていると認められる。
　
「コアと該コアを取り巻くカバーを含むゴルフボールであって、
　前記コアの材料は、ベースゴム、架橋剤、フィラー、ハロゲン化した有機硫黄化合物、及び、硬化サイクル中で分解する重合開始剤を有する組成物を含み、
　前記架橋剤は、ベースポリマー１００部当たり約２０pph〜４０pphの量で存在する、亜鉛ジメタクリレート、亜鉛アクリレート、亜鉛ジアクリレート及び亜鉛メタクリレートの混合物であり、
　前記ハロゲン化した有機硫黄化合物は、次の一般式：
（式中、Ｒ1〜Ｒ5はいずれの順番であってもよいＣ1〜Ｃ8アルキル基；ハロゲン基；チオール基（−ＳＨ）、カルボキシル基；スルホネート基；及び水素）
を有するものであり、
　前記コアは、約８０より小さいアッティ圧縮を有する、
　ゴルフボール。」
　
　イ　対比
　本願補正発明と引用発明とを対比する。
（ア）引用発明の「コアと該コアを取り巻くカバーを含むゴルフボール」、「『ベースゴム』である『ベースポリマー』」、「ハロゲン化した有機硫黄化合物」、「亜鉛ジメタクリルレート」及び「硬化サイクル中で分解する重合開始剤」は、それぞれ、本願補正発明の「コア及びカバーを含むゴルフボール」、「弾性ポリマー成分」、「ハロゲン化有機硫黄化合物」、「ジメタクリル酸亜鉛」及び「遊離基源」に相当する。
　
（イ）引用発明の「『一般式：
（式中、Ｒ1〜Ｒ5はいずれの順番であってもよいＣ1〜Ｃ8アルキル基；ハロゲン基；チオール基（−ＳＨ）、カルボキシル基；スルホネート基；及び水素）
を有す』る『ハロゲン化した有機硫黄化合物』」は「一般式Ｉ：
　　【化１】
（式中、Ｒ1〜Ｒ5は、置換又は非置換のＣ1〜Ｃ8のアルキル基、ハロゲン基、チオール基（−ＳＨ）、カルボキシレート化基、スルホネート化基及び水素から成る群から任意の順序で選ばれる）を有する少なくとも一種のハロゲン化有機硫黄化合物」の点で本願補正発明に包含される。
　
（ウ）引用発明の「架橋剤」である「亜鉛ジメタクリレート、亜鉛アクリレート、亜鉛ジアクリレート及び亜鉛メタクリレート」は、いずれも不飽和脂肪酸であるアクリル酸又はメタクリル酸の亜鉛塩である（上記（２）ア（ア）【００１３】参照。）から、引用発明の「架橋剤」のうち、「ジメタクリル酸亜鉛（亜鉛ジメタクリレート）」を除いた「亜鉛アクリレート、亜鉛ジアクリレート及び亜鉛メタクリレート」は、「ジメタクリル酸亜鉛以外の不飽和酸モノマー及びモノカルボン酸の金属塩から成る群から選ばれる追加の架橋剤」の点で本願補正発明に包含される。
　
（エ）引用発明の「コア」は、約８０より小さいアッティ圧縮を有するから、引用発明の「コア」と本願補正発明の「『９０以上のアッティ圧縮』を有する『コア』」とは「所定のアッティ圧縮を有する」点で一致する。
　
（オ）上記（ア）ないし（エ）から、本願補正発明と引用発明とは、 
「コア及びカバーを含むゴルフボールであって、前記コアが弾性ポリマー成分、遊離基源、ジメタクリル酸亜鉛、ジメタクリル酸亜鉛以外の不飽和酸モノマー及びモノカルボン酸の金属塩から成る群から選ばれる追加の架橋剤及び、次の一般式Ｉ：
　　【化１】
（式中、Ｒ1〜Ｒ5は、置換又は非置換のＣ1〜Ｃ8のアルキル基、ハロゲン基、チオール基（−ＳＨ）、カルボキシレート化基、スルホネート化基及び水素から成る群から任意の順序で選ばれる）を有するハロゲン化有機硫黄化合物を含む組成物で形成され、前記コアが所定のアッティ圧縮を有する、ゴルフボール。」
である点で一致し、次の点で相違する。
　
相違点１：
　本願補正発明では、前記コアにおけるジメタクリル酸亜鉛及び追加の架橋剤の存在量が、それぞれ「弾性ポリマー成分の５pph〜５０pph」及び「弾性ポリマー成分の２０pph〜４０pph」であるのに対して、引用発明では、架橋剤は、ベースポリマー１００部当たり約２０pph〜４０pphの量で存在するが、架橋剤をなす混合物の各成分の存在量は明らかでない点。
　
相違点２：
　前記コアのアッティ圧縮が、本願補正発明では、「９０以上」であるのに対して、引用発明では、「約８０より小さい」値である点。
　
　ウ　判断
　上記相違点１及び２について検討する。
（ア）相違点１について
　引用発明の架橋剤をなす混合物の各成分の存在量は、当業者が適宜決定すべき設計事項というべきものであるから、引用発明において上記相違点１に係る本願補正発明の構成となすことは、当業者が適宜なし得た設計上のことである。
　
（イ）相違点２について
  ａ　本願明細書の段落【００５４】の「圧縮値は、測定される成分の直径に依存する。本発明により調製されたゴルフボールのコア、或いは
コアの部分のアッティ圧縮
　別の低圧縮の実施態様では、コアは、約２０未満、更に好ましくは約１０未満、最も好ましくは０の圧縮を有する。然しながら、当業者には公知の通り、本発明により作られる
コアは、アッティ圧縮ゲージ
　ｂ　ゴルフボールのコアのアッティ圧縮の具体的数値は、当業者が適宜決定すべき設計事項というべきものであるところ、コアのアッティ圧縮が９０以上であるゴルフボールは、本願の優先日前に周知である（以下「周知技術」という。例．特表２００３−５１２４９５公報特に「【０００５】…（略）…ゴルフボールの構成部分、すべり止めをつけた履物用の熱可塑性靴底、スポーツ用品向け弾性発泡体等の成形物を製造するために有用である。それらは、特に、ワンピース、ツーピース、スリーピースおよび多層
ゴルフボール
１００以下のＡｔｔｉ圧縮
芯
 golf ball
　The core 20 is preferably a solid piece having a spherical configuration circumscribed by a cover 22 of determined thickness. Generally, the core is formed of a rubber composition of abase rubber blended with a co-crosslinking agent, a peroxide and a filler by a compression process including heating, pressing and shaping procedure. The rubber core can also be produced by the method of injection molding.
　A preferred base rubber is 1,4-polybutadiene having a cis structure of at least 40 wt %. More preferably, the cis structure represents at least 90 wt % of the 1,4-  polybutadiene. Other various rubbers including natural and synthetic rubbers can be added to the 1,4-polybutadiene. The crosslinking agent includes a metal salt of an unsaturated fatty acid such as zinc salt, a magnesium salt of unsaturated fatty acid such as methacrylic acid, acrylic acid and ester compounds.
　Polybutadiene rubber is prepared with a rare earth element catalyst, such as neodymium (Nd). This polymer has a higher amount of 1,4-polybutadiene than the conventional polybutadiene rubbers. The consequence is an improvement of the values of compression of the core and an improvement of the ball initial velocity.
　Preferably, the core has a specific gravity of 1.05 and higher and a 
PGA compression
 core
PGA compression
        between 70 to 
95
        between 50 to 80, for a core diameter between 1.43 to 1.56 inches; and
        between 35 to 70, for a core diameter between 1.39 to 1.43 inches.
　The PGA compressions of core are measured with an
 ATTI
compression gauge
　コア２０は、好ましくは、所定厚さのカバー２２によって取囲まれている球形形状を有する固体部品である。一般的に、コアは、加熱、プレス、及び造形手順を含む圧縮プロセスによって、共架橋剤、過酸化物、及び充填剤とブレンドされたベースゴムのゴム組成物から形成されている。このゴムコアはまた、射出成形方法によって製造することもできる。
　 好ましいベースゴムは、少なくとも４０質量％のシス構造を有する１，４−ポリブタジエンである。より好ましくはシス構造は、１，４−ポリブタジエンの少なくとも９０質量％を表わす。天然ゴム及び合成ゴムを含むその他の様々なゴムを、１，４−ポリブタジエンに添加することもできる。架橋剤には、不飽和脂肪酸の金属塩（例えば亜鉛塩）、不飽和脂肪酸のマグネシウム塩（例えばメタクリル酸、アクリル酸）、及びエステル化合物が含まれる。
　ポリブタジエンゴムは、希土類元素触媒、例えばネオジム（Ｎｄ）を用いて調製される。このポリマーは、通常のポリブタジエンゴムよりも高い量の１，４−ポリブタジエンを有する。その結果、コアの圧縮値の改良及びボール初期速度の改良がある。
　 好ましくはコアは、１．０５及びそれ以上の比重、及びボールに柔らかい感触を与えるようにコアのサイズに応じて様々なＰＧＡ圧縮を有する。より正確には、コアの
ＰＧＡ圧縮
  コア直径１．５６〜１．６０インチの場合７０〜
９５
  コア直径１．４３〜１．５６インチの場合５０〜８０；及び
  コア直径１．３９〜１．４３インチの場合３５〜７０。
　コアの
ＰＧＡ圧縮
ＡＴＴＩ圧縮ゲージで測定される
  
ＰＧＡ圧縮力
Atti Engineering Corporation
ゴルフボールコア
　【０１８３】コア配合物  Ｋ…（略）…
　【０１８４】
　コアを３２０°Ｆで１１.５分間硬化させ、次に約７分間冷却水を用いて冷却した。
コアのＰＧＡ圧縮力は９５
であった
ゴルフボール
アッティ圧縮(Atti compression)
コアは
約９０
アッティ圧縮
ゴルフボール
ゴルフボール
コアのアッティ圧縮
約９０
　ｃ　上記ａ及びｂから、引用発明において、コアのアッティ圧縮を９０以上とし、上記相違点２に係る本願補正発明の構成となすことは、当業者が周知技術に基づいて容易になし得たことである。
　
（ウ）効果について 
　本願補正発明の奏する効果は、当業者が、引用発明の奏する効果及び周知技術の奏する効果から予測できた程度のものである。
　
（エ）まとめ
　したがって、本願補正発明は、当業者が、引用例に記載された発明及び周知技術に基づいて容易に発明をすることができたものである。
　よって、本願補正発明は、特許法第２９条第２項の規定により特許出願の際独立して特許を受けることができないものである。
　
（３）小括
　上記（１）及び（２）のとおり、本願補正発明は、特許出願の際独立して特許を受けることができないものであるから、本件補正は、旧特許法第１７条の２第５項において準用する同法第１２６条第５項の規定に違反するものである。
　よって、本件補正は、同法第１５９条第１項において読み替えて準用する同法第５３条第１項の規定により却下すべきものである。
　
第３　本願発明について
　１　本願発明
　平成２１年１月５日付け手続補正は上記のとおり却下されたので、本願の請求項１ないし２３に係る発明は、平成１９年９月１９日付け手続補正によって補正された明細書、特許請求の範囲及び図面の記載からみて、その特許請求の範囲の請求項１ないし２３に記載された事項によってそれぞれ特定されるとおりのものであると認められるところ、請求項１に係る発明（以下「本願発明」という。）は、上記第２〔理由〕１（１）アで、本件補正前の請求項１として記載したものである。
　
　２　引用例
　原査定の拒絶の理由に引用された引用例及びその記載事項は、上記第２〔理由〕２（２）アに記載したとおりである。
　
　３　対比・判断
　本願発明は、本願補正発明において、その発明特定事項である「コア」から、「ジメタクリル酸亜鉛」の含有量が「弾性ポリマー成分の５pph〜５０pph」であり、かつ、「ジメタクリル酸亜鉛以外の不飽和酸モノマーの金属塩及びモノカルボン酸の金属塩から成る群から選ばれる、前記弾性ポリマー成分の２０pph〜４０pphの量で存在する追加の架橋剤」を含むとの限定を省いたものに相当する（上記第２〔理由〕１（２）参照。）。
　そうすると、本願発明の構成要件をすべて含み、さらに限定を付加したものに相当する本願補正発明が、上記第２〔理由〕２（２）ウに記載したとおり、当業者が、引用例に記載された発明及び周知技術に基づいて容易に発明をすることができたものであるから、本願発明も同様の理由により、当業者が、引用例に記載された発明及び周知技術に基づいて容易に発明をすることができたものである。
　
　４　むすび
　以上のとおり、本願発明は、当業者が、引用例に記載された発明及び周知技術に基づいて容易に発明をすることができたものであるから、特許法第２９条第２項の規定により特許を受けることができない。
　したがって、本願のその余の請求項に係る発明について検討するまでもなく、本願は拒絶を免れない。
　よって、結論のとおり審決する。